(57)【要約】【課題】  大サイズの鋼板等から、小サイズの試験片等を切断するための作業台において、鋼板の天板からはみ出した端の部分に、手などが当って怪我をすることがないように、保護部材を設けて保護する。【解決手段】  鋼板等の板部材５の切断等の取り扱いに用いる作業台１の天板３の天板端部４に、チャンネル状に形成された保護部材１０を取付けておく。前記保護部材１０は、天板端部より所定間隔はなれた位置にストッパー板１３を天板の表面よりも高く突出させて設け、加工用の板部材の端部が天板からはみ出したとしても、そのはみ出し量を抑制して、作業員や、作業台のそばを通行する他人が当って、怪我をすることがないように保護する。【選択図】  図１
2006181696.tif 000002
【特許請求の範囲】
【請求項１】
鋼板等の板部材を載置してそれから任意のサイズの試験片を切断する等、板部材を取り扱う作業台であって、板部材を載置する天板の周囲に、該天板の端部から所定間隔隔てて天板端部に沿ってストッパー板を有する保護部材を取付けて、前記天板からはみ出す板部材の端部が外部に突出させないように囲ってなることを特徴とする作業台。
【請求項２】
前記天板の周囲に取り付ける保護部材の前記ストッパー板は、前記天板の天板端部との間に少なくとも作業者の指が挿入可能な溝部分又は間隙を隔てて、前記天板の表面よりも高い位置まで突出させて設けてなり、前記天板上に前記溝部又は間隙にはみ出して載置した板部材の端部把持を前記溝部分又は間隙を介して行い得るようし、且つ板部材の天板からのはみ出し量を前記ストッパー板により抑制したことを特徴とする請求項１に記載の作業台。
【請求項３】
前記天板の周囲に設ける保護部材は、前記天板の天板端部に対して前記ストッパー板が離接可能となるように、移動と固定する手段を用いて取付け、前記天板端部と前記ストッパー板の間隔が調節自在になっていることを特徴とする請求項１に記載の作業台。
【請求項４】
前記保護部材は、前記天板の少なくとも作業者側に面する側に設けられている請求項１〜３に記載の作業台。
【請求項５】
前記保護部材は、前記天板の天板端部全周に複数個に分離してストッパー板と天板端部と間隔か調節自在に設けられ、必要とするストッパー板のみを、天板端部から所定間隔突出させて保護の作用を行うように構成したことを特徴とする請求項３に記載の作業台の保護装置。
【発明の詳細な説明】
【技術分野】
【０００１】
本発明は、大きな鋼板から試験片を切り取る等の切断作業を行う際に、天板からはみ出した鋼板の端が通行人等の危険とならないように保護して支持する作業台に関し、特に、作業台の周囲に保護手段を設けてなる作業台に関する。
【背景技術】
【０００２】
従来、鋼板メーカー等においては、製造された鋼板の特性試験を行うことが求められる場合が多くあり、例えば、圧延した０．０３５ｍｍないし１．６ｍｍの鋼板から必要とするサイズの試験片を切断して得ている。従来、前記試験片を得るために、動力シャーやその他の切断手段を用いて、図７に示すように、作業台の天板３上にセットした鋼板から、所望するサイズの試験片を切断するようにしている。前記大サイズの鋼板から試験片を切断するためには、作業台の天板３上にセットした大きな鋼板５に対して、その鋼板の端部から要求される試験片を、切り取るようにしている。
【０００３】
前記試験片の切断作業あるいは特性試験のための試験片の取り扱いに当っては、作業員は手を切創から保護するために、ゴム張り手袋のような安全具を用いて作業している。板部材である試験片を天板に載っている状態から試験片を持ち上げる場合等、ゴム張り手袋をしたままでは作業し難いため手袋を外さなければ端部を把持することができず、前記手袋のような保護具を使用して作業を行おうとすると、手袋を着脱する動作が繰り返され、作業能率が良くないという問題があることから、一般に鋼板の端部を作業台からはみ出すようにおいて手袋をしたまま自由に鋼板又は試験片を掴むことができるようにして、試験片の取扱いを容易にしていることが多い。
【発明の開示】
【発明が解決しようとする課題】
【０００４】
ところが、前述したようにして、加工対象物としての大サイズの鋼板や試験片の端部が、作業台からはみ出すように置かれた状態では、その切断作業部を他人が通ったりすると、鋼板の端部の部分に手が当たったりして、怪我することがある。つまり、前記図７に例示するように、鋼板５の天板端部４からはみ出した部分６が、単にその場所を通行する人のように、作業に関係のない人に危害を加えたりすることがあり、職場の安全性を維持する点から問題が提起されている。そのような作業場での危険を予防するためには、当然作業台の端部から、被加工物がはみ出さないように置かれれば良いことになるが、試験片の取り扱い作業の能率を考えると、前述したような作業方式を採用せざるを得ないという、難問が残っている。
【０００５】
本発明は、前述したような、作業台からはみ出して置かれる板状物に当ったりすることにより、怪我をしたりすることを防止するとともに、作業効率を低下させないようにする保護手段を備えた作業台を提供することを目的としている。
【課題を解決するための手段】
【０００６】
上記課題を解決する請求項１の発明に係る作業台は、鋼板等の板部材を載置してそれから任意のサイズの試験片を切断する等、板部材を取り扱う作業台であって、板部材を載置する天板の周囲に、該天板の端部から所定間隔隔てて天板端部に沿ってストッパー板を有する保護部材を取付けて、前記天板からはみ出す板部材の端部が外部に突出させないように囲ってなることを特徴とするものである。
【０００７】
また、請求項２の発明は、請求項１の発明において、前記天板の周囲に取り付ける保護部材の前記ストッパー板を、前記天板の天板端部との間に少なくとも作業者の指が挿入可能な溝部分又は間隙を隔てて、前記天板の表面よりも高い位置まで突出させて設けてなり、前記天板上に前記溝部又は間隙にはみ出して載置した板部材の端部把持を前記溝部分又は間隙を介して行い得るようし、且つ板部材の天板からのはみ出し量を前記ストッパー板により抑制したことを特徴とするものである。さらに、請求項３の発明は、請求項１の発明において、前記天板の周囲に設ける保護部材を、前記天板の天板端部に対して前記ストッパー板が離接可能となるように、移動と固定する手段を用いて取付け、前記天板端部と前記ストッパー板の間隔が調節自在になっていることを特徴とするものである。
【０００８】
請求項４の発明は、請求項１〜３の何れかの発明において、前記保護部材を少なくとも作業者側に面する側に設けるようにしたものである。さらに、請求項５の発明は、請求項３の発明において、前記保護部材を、前記天板の天板端部全周に複数個に分離して天板端部と間隔が調節自在に設けられ、必要とする保護部材のみを天板端部から所定間隔突出させて保護の作用を行うように構成したものである。
【発明の効果】
【０００９】
本発明の作業台は上記構成により、前述したように、作業台の天板の周囲にストッパー板を有する保護部材を設けることで、切断作業等の取り扱いを行う対象物としての板部材の端部を、取り扱いやすくするために作業台の天板端部から突出させても、作業員あるいは近くを通る人等が板部材板の突出縁に当って、怪我をしたりしないように保護できる。また、前記ストッパー板を天板の面よりも高く形成していることから、加工の対象物としての鋼板が、天板の周囲から外部に大きく突出することを抑制でき、切断作業中でも、その安全性を確保できる。さらに、保護部材を天板端部に対して離接可能なものとして構成する場合には、使用する側の天板端部に対してのみ、保護部材を突出させるので、作業台の占める面積を拡大することがなく、他人の邪魔をすることが避けられる。
【発明を実施するための最良の形態】
【００１０】
本発明は、金属板やガラス板等の板部材の製造現場等で試験用の大サイズの鋼板やガラス板から試験片を切り取る作業等、板部材を取り扱う作業を行なう際に、板部材を載置する作業台に関し、該作業台の天板の天板端部から所定間隔を隔てて、天板の天板端部に沿って該天板の表面よりも若干高い位置まで突出させた保護部材（ストッパー板）を設けたものである。それにより、前記天板端部から突出する板部材の縁部が突き当たることによってその突出量を制御できると共に、板部材の一部が作業台の天板の端部からはみ出した状態に置いても、作業者や作業台の近くを通る人が、板部材の角の部分等に当ったりして切創等の怪我をする危険性をなくすことができる。そして、板部材の縁部を天板端部と保護部材の間の空間に突出状態に置けるから、ゴム張り手袋を着用した状態で板部材の縁部を持ち上げることができ、その度に手袋を脱ぐ必要がないので作業の能率を向上させることができる。
【００１１】
前記保護部材は、直接天板の天板端部に取付けて構成することもできるし、天板以外の脚部などにブラケットを介して取付けることもできる。そして、作業台の天板が例えば矩形状である場合、その４周にわたって保護部材を設けても良く、一部の側縁側のみに設けても良い。その場合、少なくとも作業者及び通行人と面する側には設けるようにする。また、全周を必ずしも一体構造の枠状に形成せずに、例えば作業台の各辺毎に分割して保護部材を形成し、或は保護部材を一対のコ字状に形成して、保護を必要とする側のみ保護部材を突出させることによって、作業台の占めるスペースを必要以上に大きくさせることがなく、省スペースを図ることができる。
【００１２】
以下に説明する本発明の実施例では、作業台や天板の形状・構造等は特に限定するものではなく、試験片として切断する鋼板の厚さや大きさ等の形状、試験の目的等には関係なく、鋼板製造工場や加工現場、或はガラス板の切断や加工現場等で容易に使用できて、職場での安全性を向上させるために用いることが可能なものとしている。
【実施例】
【００１３】
以下、本発明の実施例を図面に基き詳細に説明する。
図１は、通常使用されている板部材の切断作業用や検査用の机（以下、単に作業台という）に適用した実施例であり、作業台１の天板３の周囲に保護部材１０が設けられている。保護部材１０は、図２にその要部断面を示すように、作業台１の四角状の天板３の外周端部４に沿って、天板の端部側面に保護部材１０を直接取付けてある。保護部材１０の断面は、図２に示されているように、チャンネル状の部材として構成され、取付け部１２、ストッパー板１３、溝部分１４が一体となっている。保護部材１０は、例えば図３に示すように取り扱う板部材５を任意の長さだけ、天板３からはみ出させることを許容できるように、溝部分１４の幅を適宜選択したチャンネル形状断面を有するものを採用している。保護部材１０は、取付け部１２を天板端部４に直接ねじ止め等の手段を用いて固着する。
【００１４】
前記チャンネル状の保護部材１０の作業台への取付けは、取付け部１２の頂縁が天板３の表面と一致又は天板表面よりも低く設置されるが、ストッパー板１３の頂縁は天板３の表面よりも高さｈ（例えば、５ｍｍ程度）だけ高くなるようにする。つまり、前記ストッパー板１３を作業能率に影響しない範囲で、高く形成することにより、天板３上に載置される板部材５は、その端部をはみ出させるように置かれた場合でも、はみ出し部６が枠状のストッパー板１３の内側に位置するので、板部材のはみ出し部６が直接外部空間に突出することがない。また、板部材５の最大はみ出し量は、板部材の縁部が保護部材１０のストッパー板１３に突き当たることにより、規制される。したがって、鋼板の切断作業等の途中で、加工用の板部材のみが作業台上に放置された状態であっても、そこを通りかかる人が鋼板のはみ出し部分に直接触れたり引っ掛かったりする危険性がなく、職場の安全性を良好に維持することができる。
【００１５】
なお、前記作業台１は、天板が矩形状や多角形状あるいは円形等その形状は特に限定されるものでなく、保護部材１０は天板の形状に併せてその外周端部に沿った形状に構成する。また、作業台１は、その脚部２にキャスター等を装備して、移動可能なものとして構成すること、もしくは、移動不能で固定配置する状態の作業台として使用可能なものであってもよくその形態は特に限定されない。
【００１６】
図３は他の実施例を示し、図２に示す実施例では、チャンネル状の保護部材を、天板の端部側面に直接取付けた場合であるが、この実施例では、保護部材１０ａはストッパー板１３ａを枠状に連結して構成して、作業台の４本の脚２に適宜のブラケット７を介してストッパー板１３ａが天板３の天板端部と所定間隔を有するように固定して設けてあり、ストッパー板１３ａと天板３の天板端部との間は底板がない完全な間隙２１となっている。ストッパー板１３ａは、作業台の天板３の上面に対して、図２の実施例と同様に、所定の高さだけ突出させて設けており、天板３上に載置した加工用の板部材５のはみ出し部６のはみ出す長さ（突出量）を規制することができるようにしている。
【００１７】
図２、３に示す実施例では、保護部材１０、１０ａにおいて、天板端部４とストッパー板１３、１３ａの間に形成された溝部分１４あるいは間隙２１は、加工用の板部材５の端部に指を掛けて取り扱いを行う際に、作業員が手袋をはめていたとしても、前記加工用の板部材の端部にまで容易に指を差し込んで、取扱い（荷役）を行うことができるように、巾と深さを有するものとして設定される。
【００１８】
前記実施例に説明した保護部材１０、または保護部材１０ａにおいて、ストッパー板１３、１３ａを天板端部４に対して各々間隔調整可能なものとして構成することも可能である。例えば、前記保護部材を天板端部４から側部に突出させた状態のままでは、作業台の占める面積が大きくなって、それを使用しないときには、邪魔になるという欠点がある。そこで、前記天板の周囲に取付ける保護部材１０ａを、図４、５に説明するように、天板端部４に対して移動可能に設けて、ストッパー板１３の突出する位置を変更できるようにすることができる。
【００１９】
この実施例において、保護部材１０ｂは天板の各端部毎に独立してチャンネル材で形成され、その取付け部１２ｂの頂部天板側にブラケット部材１５を取付けておき、前記ブラケット部材１５にはスリット１６を設けて、天板３の下部には固定位置にねじ孔を設けている。そして、ストッパー板１３ｂを天板端部４から離接させたいずれの位置でも、固定ねじ１７を締め付けることによって、ストッパー板をその位置に固定することができるので、作業台１を使用する際の要求に応じて、ストッパー板１３ｂの突出巾を適宜調整できる。また、前述したように、ストッパー板１３ｂを移動可能に設けた場合に、例えば、１つの面のみを鋼板の切断等に使用する時には、その該当する面の保護部材のみを突出させて、作業の補助に利用すれば良いので、作業台１の占める面積を広くする必要もない。なお、保護部材のストッパー板を天板端部に対して間隔調節可能に設ける手段は、この実施例のような構成に限らず、例えば天板底面に断面コ字状のレールを設けて該レールに保護部材に設けた板状ブラケットを入れ子状に嵌合する等任意の調節手段を採用できる。
【００２０】
前述したように、作業台の天板の周囲に保護部材を取付けた場合に、その保護部材が鉄等の金属で構成したときに、その角の部分では、鋭い角部が突出する状態となり、鋼板が天板端部から突出した状態と同様に、作業台の角の部分に当って、怪我をするという新たな問題が発生する。また、前記天板の周囲に保護部材を取付けて、保護部材の突出量を調節可能にしたときには、場合によっては、１つの保護部材の端部が作業台の角の部分から突出した状態に置かれる。そこで、前記保護部材の角の部分を保護するためには、図６に示すような、角部保護材２０を用意しておき、直角に交差する保護部材の角の部分に対して、前記角部保護材２０を取付けて保護すれば良い。
【００２１】
前記角部保護材２０としては、プラスチック等で構成することができるものであり、角部に適度に曲線状に膨出した膨出部２１を有する鉤状に形成し、下から上に向けて所定の深さのストッパー板嵌合用溝を形成しておくことで、ストッパー板が交差する角の部分に嵌め込むことができるように構成されている。それにより、保護部材の角部を覆ってより安全性を高めることができる。なお、角部保護材２０に外側板を装着する溝を設けておくことで、交差する状態に置かれる２つの保護部材のうち、１つの保護部材が移動された状態でも、角の部分を容易に保護できることになり、作業台を使用しないときには、通行する他の作業員が、不用意に作業台に接触したりして、怪我をする等の不都合な状態または事故を解消できる。前記角部保護材としては、天板の周囲に保護部材を装着したときの角の部分を保護できれば、特に、その形状を限定するものではなく、任意の形状のものとして構成できる。また、前記角部保護材２０の材質に関しても、角の部分に接触する通行人や運ばれている物等に対して、保護作用を良好に発揮できれば、その材料を限定するものでもない。また、保護部材１０、１０ａ、１０ｂはいつでも取り外しができるようにしたものが望ましい。
【産業上の利用可能性】
【００２２】
本発明の作業台は、天板の天板端部から所定間隔隔てて天板端部に沿って保護部材を取付けて、前記天板からはみ出す板部材の端部が前記保護部材に突き当たって外部に突出させないよう抑制してあるので、板部材が天板からはみ出した状態であっても、その近傍を通行する人間が接触して切創する危険性がなく、安全性が高い作業台として、特に金属板やガラス板等を取り扱う作業台に好適に利用可能である。
【図面の簡単な説明】
【００２３】
【図１】本発明の実施例に係る作業台の斜視図である。
【図２】その保護部材の構成と取付け状態を示す要部断面図である。
【図３】本発明の他の実施例に係る作業台の要部概略図である。
【図４】本発明のさらに他の実施例に係る作業台の要部概略図である。
【図５】図４の要部底面図である。
【図６】本発明のさらに他の実施例に係り、保護部材の角の部分に設ける角部保護材を設けた作業台の要部概略図である。
【図７】従来の鋼板切断の説明図である。
【符号の説明】
【００２４】
１  作業台                        ２  脚部
３  天板                          ４  天板端部
５  加工用の板部材                ６  はみ出し部
７、１５  ブラケット部材        １０  保護部材
１２  取付け部                  １６  スリット
１７  固定ねじ                  ２０  角部保護材
【図１】
2006181696.tif 000003
【図２】
2006181696.tif 000004
【図３】
2006181696.tif 000005
【図４】
2006181696.tif 000006
【図５】
2006181696.tif 000007
【図６】
2006181696.tif 000008
【図７】
2006181696.tif 000009